(57)【要約】【課題】障害時の信号伝送を確保すると共に、リングネットワークが正常に動作しているとき、伝送帯域を有効利用して通信量を増やすことのできる伝送装置を提供する。【解決手段】受信装置１１−３は、チャネルＶＣ１，ＶＣ２に障害が発生したことを示す警報を検出すると、受信しているバーチャルコンカチネーション信号から、障害の発生したチャネルＶＣ１，ＶＣ２を削除する。また、受信装置１１−３は、チャネルＶＣ１，ＶＣ２に障害が発生したことを示す警報転送情報を送信装置１１−１に送信する。送信装置１１−１は、警報転送情報を検出すると、送信しているバーチャルコンカチネーション信号から、障害の発生したチャネルＶＣ１，ＶＣ２を削除する。【選択図】　　　図１
2004015173.tif 000002
【特許請求の範囲】
【請求項１】
送信装置から受信装置への複数のチャネルを連結してバーチャルコンカチネーション信号を構成する機能を有する伝送システムにおけるバーチャルコンカチネーションのチャネル変更方法であって、
前記受信装置において、
前記チャネルに障害が発生したことを示す警報を検出すると、受信している前記バーチャルコンカチネーション信号から、障害の発生した前記チャネルを削除するステップと、
前記チャネルに障害が発生したことを示す警報転送情報を前記送信装置に送信するステップと、
前記送信装置において、
前記警報転送情報を検出すると、送信している前記バーチャルコンカチネーション信号から、障害の発生した前記チャネルを削除するステップを有する、バーチャルコンカチネーションのチャネル変更方法。
【請求項２】
前記受信装置において、
前記チャネルの警報の解消を検出すると、前記バーチャルコンカチネーション信号に、警報の解消された前記チャネルを再び追加するステップと、
前記警報転送情報の前記送信装置への送信を停止するステップと、
前記送信装置において、
前記警報転送情報の停止を検出すると、前記バーチャルコンカチネーション信号に、警報の解消された前記チャネルを再び追加するステップをさらに有する、請求項１記載のバーチャルコンカチネーションのチャネル変更方法。
【請求項３】
前記送信装置から前記受信装置へ複数の伝送路があり、前記送信装置から前記受信装置への複数の前記チャネルは、前記複数の伝送路に分散されている、請求項１または２記載のバーチャルコンカチネーションのチャネル変更方法。
【請求項４】
前記警報転送情報は、パスオーバヘッドによって転送される、請求項１〜３のいずれか１項に記載のバーチャルコンカチネーションのチャネル変更方法。
【請求項５】
複数のチャネルを連結したバーチャルコンカチネーション信号を送受信する伝送装置であって、
受信したチャネルに障害が発生したことを示す警報を検出すると、受信側のバーチャルコンカチネーション信号から、該チャネルを削除する受信部と、
受信した前記チャネルに障害が発生したことが前記受信部にて検出されると、該チャネルに障害が発生したことを示す警報転送情報を前記チャネルの送信元に送信し、送信したチャネルに障害が発生したことを示す警報転送情報を受信すると、送信側のバーチャルコンカチネーション信号から、該チャネルを削除する送信部を有する伝送装置。
【請求項６】
前記受信部は、受信した前記チャネルの警報の解消を検出すると、前記受信側のバーチャルコンカチネーション信号に、該チャネルを再び追加し、
前記送信部は、受信した前記チャネルの警報の解消が前記受信部にて検出されると、前記警報転送情報の送信を停止し、送信したチャネルに障害が発生したことを示す前記警報転送情報の停止を検出すると、前記送信側のバーチャルコンカチネーション信号に、該チャネルを再び追加する、請求項５記載の伝送装置。
【請求項７】
複数の伝送路によって信号を送受信しており、前記複数のチャネルが前記複数の伝送路に分散されている、請求項５または６記載の伝送装置。
【請求項８】
前記警報転送情報は、パスオーバヘッドによって転送される、請求項５〜７のいずれか１項に記載の伝送装置。
【発明の詳細な説明】
【０００１】
【発明の属する技術分野】
本発明は、ＳＤＨのリングネットワークに関し、特に、ＳＤＨネットワークの伝送路の信頼性および利用効率の向上に関する。
【０００２】
【従来の技術】
ＳＤＨハイアラーキは、主に音声系サービスの信号を伝送することを目的として規定されたものである。しかし、近年では、音声系サービスに加えて、データ系サービスのトラフィック量が急激に増大している。そのため、ＳＤＨネットワークでデータ系サービスの信号を効率良く伝送する要求が高まっている。
【０００３】
イーサネットに代表されるデータ系サービスには、様々なデータレートのものがある。従来のＳＤＨハイアラーキは、それらデータ系サービスの信号を効率的に収容することができなかった。そのため、ＳＤＨハイアラーキにデータ系サービスの信号を効率的に収容するための様々な試みがなされていた。ＳＤＨハイアラーキにデータ系サービスの信号を効率的に収容するために、ＩＴＵ−Ｔ　Ｇ．７０７他ではバーチャルコンカチネーション技術が勧告されている。
【０００４】
バーチャルコンカチネーションによれば、Ｎ個（Ｎは任意）のＳＤＨパスを連結（コンカチネーション）することで、ＳＤＨパスの伝送帯域の任意倍（Ｎ倍）の伝送帯域のバーチャルコンカチネーション信号を構成できる。それにより、様々なデータレートのデータ系サービスをＳＤＨのネットワークに収容することが可能となる。
【０００５】
また、ＳＤＨネットワークは、伝送帯域が大きく、また公共性が高いことから、障害に対する高い信頼性が要求される。そのため、ＳＤＨネットワークでは、障害に対する信頼性を高めるために、冗長構成がとられることが多い。例えば、ＳＤＨリングネットワークでは、２重のリング型伝送路を構成し、現用の伝送路と予備の伝送路を１対１に対応させ、伝送路の半分が予備とされる。
【０００６】
冗長構成を有する従来のＳＤＨリングネットワークは、例えば伝送路に障害が発生すると、予備の伝送路に切り替えることにより、短い時間で信号伝送を復旧されることができる。
【０００７】
【発明が解決しようとする課題】
近年のデータ系サービスのトラフィック量の増大に対応するため、ＳＤＨネットワークの伝送帯域を増加させることが要求されている。しかし、冗長構成を有する従来のＳＤＨリングネットワークは、信頼性を高めるために、正常な状態で予備の伝送路は使用されず待機している。つまり、ＳＤＨリングネットワークが有する伝送帯域のかなりの部分が未使用の状態であり、正常状態では伝送帯域が無駄になっている。
【０００８】
本発明の目的は、障害時の信号伝送を確保すると共に、リングネットワークが正常に動作しているとき、伝送帯域を有効利用して通信量を増やすことのできる伝送装置を提供することである。
【０００９】
【課題を解決するための手段】
上記目的を達成するために、バーチャルコンカチネーションの本発明のチャネル変更方法は、送信装置から受信装置への複数のチャネルを連結してバーチャルコンカチネーション信号を構成する機能を有する伝送システムにおけるバーチャルコンカチネーションのチャネル変更方法であって、
前記受信装置において、
前記チャネルに障害が発生したことを示す警報を検出すると、受信している前記バーチャルコンカチネーション信号から、障害の発生した前記チャネルを削除するステップと、
前記チャネルに障害が発生したことを示す警報転送情報を前記送信装置に送信するステップと、
前記送信装置において、
前記警報転送情報を検出すると、送信している前記バーチャルコンカチネーション信号から、障害の発生した前記チャネルを削除するステップを有している。
【００１０】
したがって、バーチャルコンカチネーションの本発明のチャネル変更方法によれば、バーチャルコンカチネーション信号を構成するチャネル（発明の実施の形態ではバーチャルコンテナに対応するパス）に障害が発生すると、受信装置は、警報を検出し、バーチャルコンカチネーション信号からそのチャネルを削除するとともに、送信装置に警報転送情報を送信し、送信装置は、警報転送情報を受信すると、バーチャルコンカチネーション信号からそのチャネルを削除する。
【００１１】
なお、前記受信装置において、
前記チャネルの警報の解消を検出すると、前記バーチャルコンカチネーション信号に、警報の解消された前記チャネルを再び追加するステップと、
前記警報転送情報の前記送信装置への送信を停止するステップと、
前記送信装置において、
前記警報転送情報の停止を検出すると、前記バーチャルコンカチネーション信号に、警報の解消された前記チャネルを再び追加するステップをさらに有していてもよい。
【００１２】
また、前記送信装置から前記受信装置へ複数の伝送路があり、前記送信装置から前記受信装置への複数の前記チャネルは、前記複数の伝送路に分散されていてもよい。
【００１３】
また、前記警報転送情報は、パスオーバヘッドによって転送されてもよい。
【００１４】
本発明の伝送装置は、複数のチャネルを連結したバーチャルコンカチネーション信号を送受信する伝送装置であって、
受信したチャネルに障害が発生したことを示す警報を検出すると、受信側のバーチャルコンカチネーション信号から、該チャネルを削除する受信部と、
受信した前記チャネルに障害が発生したことが前記受信部にて検出されると、該チャネルに障害が発生したことを示す警報転送情報を前記チャネルの送信元に送信し、送信したチャネルに障害が発生したことを示す警報転送情報を受信すると、送信側のバーチャルコンカチネーション信号から、該チャネルを削除する送信部を有している。
【００１５】
なお、前記受信部は、受信した前記チャネルの警報の解消を検出すると、前記受信側のバーチャルコンカチネーション信号に、該チャネルを再び追加し、
前記送信部は、受信した前記チャネルの警報の解消が前記受信部にて検出されると、前記警報転送情報の送信を停止し、送信したチャネルに障害が発生したことを示す前記警報転送情報の停止を検出すると、前記送信側のバーチャルコンカチネーション信号に、該チャネルを再び追加してもよい。
【００１６】
また、複数の伝送路によって信号を送受信しており、前記複数のチャネルが前記複数の伝送路に分散されていてもよい。
【００１７】
また、前記警報転送情報は、パスオーバヘッドによって転送されてもよい。
【００１８】
【発明の実施の形態】
本発明の一実施形態について図面を参照して詳細に説明する。
【００１９】
図１は、本実施形態の伝送システムの構成を示すブロック図である。図１を参照すると、伝送システム１０は、ノード１１−１〜１１−４を有している。全てのノード１１−１〜１１−４は同じ構成である。伝送システム１０は、ノード間が２重のリング型の伝送路１３，１４で接続されたＳＤＨリングネットワークであり、バーチャルコンカチネーションを用いてデータ系サービスを収容する。伝送路１３が時計回りのアウターリングであり、伝送路１４が反時計回りのインナーリングである。伝送路１３と伝送路１４のチャネル（バーチャルコンテナ）には、互いに異なる番号（バーチャルコンテナ番号）が付与されている。
【００２０】
以下、ノード１１−１とノード１１−２の通信に着目する。
【００２１】
ノード１１−１とノード１１−３の間で送受されるデータは、時計回りの伝送路１３と反時計回りの伝送路１４の双方で伝送されている。また、ノード１１−１からノード１１−３へバーチャルコンカチネーション信号が設定されている。バーチャルコンカチネーション信号はバーチャルコンテナＶＣ１〜ＶＣ４の４つのチャネルからなる。バーチャルコンテナＶＣ１，ＶＣ２は、伝送路１３上のチャネルであり、バーチャルコンテナＶＣ３，ＶＣ４は伝送路１４上のチャネルである。
【００２２】
ノード１１−１，１１−３は、それぞれ帯域変更部１２を有している。帯域変更部１２は、複数のバーチャルコンテナを連結してバーチャルコンカチネーション信号を構成し、バーチャルコンカチネーション信号をユーザ装置と送受信する。また、帯域変更部１２は、バーチャルコンテナの状態を監視し、監視結果に基づいてバーチャルコンカチネーション信号を構成するバーチャルコンテナを変更し、バーチャルコンカチネーション信号の帯域を変更する。
【００２３】
図２は、本実施形態の各ノードの構成を示すブロック図である。図１のノード１１−１〜１１−４は同じ構成であり、図２ではそれをノード１１として示す。図２を参照すると、ノード１１は、帯域変更部１２内に、受信部２１および送信部２２を有している。
【００２４】
受信部２１は、他ノードからユーザ装置へ向かう方向のデータを処理し、送信部２２は、ユーザ装置から他ノードへ向かう方向のデータを処理する。
【００２５】
受信部２１は、帯域生成部２３、警報検出部２４および帯域制御部２５を有している。
【００２６】
送信部２２は、帯域生成部２６、警報転送情報生成部２７、帯域制御部２８および警報転送情報検出部２９を有している。
【００２７】
帯域生成部２３は、２つの伝送路１３，１４から信号を受信している。帯域生成部２３は、ネットワーク管理部（不図示）からの所定の設定に従って、各伝送路１３，１４の信号からバーチャルコンテナを取り出して連結し、バーチャルコンカチネーション信号を生成してユーザ装置（不図示）に送信する。また、帯域生成部２３は、帯域制御部２５からの指示に従って、１つのバーチャルコンカチネーション信号に連結するバーチャルコンテナを変更する。
【００２８】
警報検出部２４は、２つの伝送路１３，１４から信号を受信している。警報検出部２４は、各伝送路１３，１４からの信号を監視しており、警報を検出する。警報を検出すると、警報検出部２４は、警報の検出されたパスのパス番号（以下、不良パス番号と称す）を帯域制御部２５および警報転送情報生成部２７に通知する。ここで、警報は、例えば、
そのパスの符号誤り率の悪化の他、伝送路障害、フレーム同期はずれなど、パスの信号が正常に伝送されない状態で発生する。
【００２９】
また、警報検出部２４は、警報が解消されればそれを検出し、警報が解消されたパスのパス番号を帯域制御部２５および警報転送情報生成部２７に通知する。
【００３０】
帯域制御部２５は、警報検出部２４から通知された不良パス番号に対応するバーチャルコンテナをバーチャルコンカチネーション信号から削除するように、帯域生成部２３に指示する。
【００３１】
また、帯域制御部２５は、警報検出部２４から警報の解消を通知されると、そのパス番号に対応するバーチャルコンテナを元のバーチャルコンカチネーション信号に追加するように、帯域生成部２３に指示する。
【００３２】
帯域生成部２６は、ユーザ装置（不図示）から信号を受信している。帯域生成部２６は、ネットワーク管理部（不図示）からの所定の設定に従って、バーチャルコンカチネーション信号を構成するバーチャルコンテナに信号を分配する。また、帯域生成部２６は、帯域制御部２８からの指示に従って、１つのバーチャルコンカチネーション信号を構成するバーチャルコンテナを変更する。その際、帯域生成部２６は、バーチャルコンカチネーショングループに登録されたバーチャルコンテナ番号を一時的に削除し、また追加する。バーチャルコンカチネーショングループとは、各バーチャルコンカチネーション信号を構成するバーチャルコンテナからなるグループである。
【００３３】
警報転送情報生成部２７は、警報検出部２４から不良パス番号を通知されると、そのパスに警報が発生していることを示す警報転送情報を、そのパスの送信元のノードに送信する。警報転送情報は、そのパスに対応するパスオーバヘッド（以下、ＰＯＨと称す）によって転送され、警報が発生している限り継続して転送される。
【００３４】
また、警報転送情報生成部２７は、警報検出部１４から警報の解消が通知されると、警報転送情報の転送を停止する。
【００３５】
帯域制御部２８は、警報転送情報検出部２９から通知された不良パス番号に対応するバーチャルコンテナをバーチャルコンカチネーション信号から削除するように、帯域生成部２６に指示する。
【００３６】
また、帯域制御部２８は、警報転送情報検出部２９から警報転送情報が消えたパスのパス番号を通知されると、そのパス番号に対応するバーチャルコンテナを元のバーチャルコンカチネーション信号に追加するように、帯域生成部２７に指示する。
【００３７】
警報転送情報検出部２９は、２つの伝送路１３，１４から信号を受信している。警報転送情報検出部２９は、各伝送路１３，１４の信号のＰＯＨを監視しており、警報転送情報を検出する。警報転送情報を検出すると、警報転送情報検出部２９は、警報転送情報の検出されたパスのパス番号（不良パス番号）を帯域制御部２８に通知する。
【００３８】
また、警報転送情報検出部２９は、それまで検出されていた警報転送情報が消えると、警報転送情報が消えたパスのパス番号を帯域制御部２８に通知する。
【００３９】
本実施形態の伝送システム１０およびノード１１の動作について説明する。
【００４０】
図３は、本実施形態の伝送システムおよびノードの動作を説明するための図である。
【００４１】
ノード１１−１からノード１１−３へバーチャルコンカチネーション信号が設定されている。バーチャルコンカチネーション信号はバーチャルコンテナＶＣ１〜ＶＣ４の４つのチャネルからなる。バーチャルコンテナＶＣ１，ＶＣ２は、伝送路１３上のチャネルであり、バーチャルコンテナＶＣ３，ＶＣ４は伝送路１４上のチャネルである。
【００４２】
ここで、図３に示すように、伝送路１３のノード１１−１とノード１１−２の間でバーチャルコンテナＶＣ１，ＶＣ２に障害が発生したとする。
【００４３】
ノード１１−３は、警報検出部２４により、バーチャルコンテナＶＣ１，ＶＣ２に対応するパスの警報を検出する。
【００４４】
ノード１１−３では、警報が検出されたパスのパス番号が、警報検出部２４から帯域制御部２５および警報転送情報生成部２７に通知される。帯域制御部２５は、警報検出部２４からの通知を受けて、バーチャルコンテナＶＣ１，ＶＣ２をバーチャルコンカチネーション信号から削除するように、帯域生成部２３に指示する。帯域生成部２３は帯域制御部２５からの指示に従ってバーチャルコンテナＶＣ１，ＶＣ２をバーチャルコンカチネーション信号から削除する。また、警報転送情報生成部２７は、警報検出部からの通知を受けて、それらのパスに警報が発生していることを示す警報転送情報をノード１１−１に送信する。
【００４５】
ノード１１−１は、警報転送情報検出部２９により、バーチャルコンテナＶＣ１，ＶＣ２に対応するパスの警報転送情報を検出する。
【００４６】
ノード１１−１では、警報転送情報が検出されたパスのパス番号が、警報転送情報検出部２９から帯域制御部２８に通知される。帯域制御部２８は、警報転送情報検出部２９からの通知を受けて、バーチャルコンテナＶＣ１，ＶＣ２をバーチャルコンカチネーション信号から削除するように、帯域生成部２６に指示する。帯域生成部２６は、帯域制御部２８からの指示に従ってバーチャルコンテナＶＣ１，ＶＣ２をバーチャルコンカチネーション信号から削除する。
【００４７】
また、伝送路１３の障害が解消されたとする。
【００４８】
ノード１１−３は、警報検出部２４により、バーチャルコンテナＶＣ１，ＶＣ２に対応するパスの警報が解消されたことを検出する。
【００４９】
ノード１１−３では、警報の解消が検出されたパスのパス番号が、警報検出部２４から帯域制御部２５および警報転送情報生成部２７に通知される。帯域制御部２５は、警報検出部２４からの通知を受けて、バーチャルコンテナＶＣ１，ＶＣ２を元のバーチャルコンカチネーション信号に追加するように、帯域生成部２３に指示する。帯域生成部２３は帯域制御部２５からの指示に従ってバーチャルコンテナＶＣ１，ＶＣ２を元のバーチャルコンカチネーション信号に追加する。また、警報転送情報生成部２７は、警報検出部からの通知を受けて、警報転送情報のノード１１−１への送信を停止する。
【００５０】
ノード１１−１は、警報転送情報検出部２９により、バーチャルコンテナＶＣ１，ＶＣ２に対応するパスの警報転送情報が停止したことを検出する。
【００５１】
ノード１１−１では、警報転送情報の停止が検出されたパスのパス番号が、警報転送情報検出部２９から帯域制御部２８に通知される。帯域制御部２８は、警報転送情報検出部２９からの通知を受けて、バーチャルコンテナＶＣ１，ＶＣ２を元のバーチャルコンカチネーション信号に追加するように、帯域生成部２６に指示する。帯域生成部２６は、帯域制御部２８からの指示に従ってバーチャルコンテナＶＣ１，ＶＣ２を元のバーチャルコンカチネーション信号に追加する。
【００５２】
以上説明したように、本実施形態の伝送システムによれば、バーチャルコンカチネーション信号を構成するバーチャルコンテナに対応するパスに障害が発生したとき、そのパスの受信側のノードは、警報を検出すると、受信側のバーチャルコンカチネーション信号からそのバーチャルコンテナを削除するとともに、送信側のノードに警報転送情報を送信し、送信側のノードは、警報転送情報を受信すると、送信側のバーチャルコンカチネーション信号からそのバーチャルコンテナを削除するので、正常状態には、広い伝送帯域が通信に利用され、障害状態には、障害の無いパスだけでバーチャルコンカチネーション信号が維持され、伝送帯域の有効利用と障害に対する高い信頼性を両立することができる。
【００５３】
なお、ここでは、伝送システム１０は、時計回りのアウターリングと、反時計回りのインナーリングの２つのリング型伝送路１３，１４によりノード１１−１〜１１−４が接続された構成を例示したが、本発明の伝送路は２つに限られるものではない。本発明の伝送システムでは、伝送路が複数であり、バーチャルコンカチネーション信号を構成するバーチャルコンテナは複数の伝送路に分散されていることが望ましい。その場合、ノード１１の構成は図４に示すように、複数（ｎ本）の伝送路によって信号を送受信する。
【００５４】
また、ここでは、リング型の伝送路１３，１４でノード１１−１〜１１−４が接続された構成を例示したが、本発明の伝送路はリング型に限定されるものではない。本発明は、バーチャルコンカチネーションが適用されるあらゆる伝送システムに適用することができる。
【００５５】
【発明の効果】
本発明によれば、バーチャルコンカチネーション信号を構成するチャネル（発明の実施の形態ではバーチャルコンテナに対応するパス）に障害が発生すると、受信側の装置は、警報を検出し、バーチャルコンカチネーション信号からそのチャネルを削除するとともに、送信装置に警報転送情報を送信し、送信側の装置は、警報転送情報を受信すると、バーチャルコンカチネーション信号からそのチャネルを削除するので、正常状態には、広い伝送帯域が通信に利用され、障害状態には、送信側および受信側の装置にて認識を合わせて障害の無いチャネルだけでバーチャルコンカチネーション信号が維持されるので、伝送帯域の有効利用と障害に対する高い信頼性を両立することができる。
【図面の簡単な説明】
【図１】
本実施形態の伝送システムの構成を示すブロック図である。
【図２】
本実施形態の各ノードの構成を示すブロック図である。
【図３】
本実施形態の伝送システムおよびノードの動作を説明するための図である。
【図４】
伝送路が複数の本実施形態のノードの構成を示すブロック図である。
【符号の説明】
１０　　伝送システム
１１−１〜１１−４　　ノード
１２　　帯域変更部
１３，１４　　伝送路
２１　　受信部
２２　　送信部
２３　　帯域生成部
２４　　警報検出部
２５　　帯域制御部
２６　　帯域生成部
２７　　警報転送情報生成部
２８　　帯域制御部
２９　　警報転送情報検出部
【図１】
2004015173.tif 000003
【図２】
2004015173.tif 000004
【図３】
2004015173.tif 000005
【図４】
2004015173.tif 000006